(57)【要約】【課題】リモコン装置の表示部に表示される機器の動作状況を表示する画面の文字表示を、使用者の分かりやすい表示に変更可能としたリモコン装置を提供する。【解決手段】複数機器の運転状態や設定条件を表示する表示部２と、各種の運転指示を行う各スイッチを備えた操作部３とを設けたリモコン装置１で、前記表示部２に表示される内容を変更可能としたことにより、表示部２の暖房室表示１４を使用者自身が分かりやすい表示に変更可能であるので、分かりやすい表示、例えば「台所」のように場所や「一郎」、「花子」の部屋など子供の名前にすれば、忘れることがなく確実に操作出来、安心して使用出来るものであり、どの部屋をどんな名前にしたかを忘れることなく、覚えておくことが出来る。【選択図】図４
2007028136.tif 000002
【特許請求の範囲】
【請求項１】
複数機器の運転状態や設定条件を表示する表示部と、各種の運転指示を行う各スイッチを備えた操作部とを設けたリモコン装置で、前記表示部に表示される内容を変更可能とした事を特徴とするリモコン装置。
【請求項２】
前記表示部には、同時に３室の暖房設定画面が表示され、この３室の名称を変更可能とした事を特徴とする請求項１記載のリモコン装置。
【発明の詳細な説明】
【技術分野】
【０００１】
この発明は、給湯機等のリモコン装置に関するものである。
【背景技術】
【０００２】
従来よりこの種のリモコン装置では、給湯機の操作や表示の他に他の機器である浴室暖房機の制御も行うことで、使用者がわざわざ浴室まで行って操作する手間を省き、操作性の向上を図るものであった。（例えば、特許文献１参照）
【特許文献１】特開２００４−１３８３５５号公報
【発明の開示】
【発明が解決しようとする課題】
【０００３】
又図３で示すように、３室の暖房状態を同時に表示すると共に、タッチパネル方式でその表示上で操作するものがあったが、このものでは、３室の暖房をそれぞれ「暖房Ａ」、「暖房Ｂ」、「暖房Ｃ」と表示しているので、どの部屋を「暖房Ａ」にするかは、設定の時に使用者自身が決めることであるが、いざ操作するとなるとどの部屋の暖房が「暖房Ａ」なのか分かり難く、不安になるものであった。
【課題を解決するための手段】
【０００４】
この発明はこの点に着目し、上記欠点を解決する為、特にその構成を、複数機器の運転状態や設定条件を表示する表示部と、各種の運転指示を行う各スイッチを備えた操作部とを設けたリモコン装置で、前記表示部に表示される内容を変更可能としたものである。
【発明の効果】
【０００５】
この発明によれば、表示部の表示を使用者自身が分かりやすい表示に変更可能であるので、分かりやすい表示、例えば「台所」のように場所や「一郎」、「花子」の部屋など子供の名前にすれば、忘れることがなく確実に操作出来、安心して使用出来るものであり、どの部屋をどんな名前にしたかを忘れることなく、覚えておくことが出来る。
【発明を実施するための最良の形態】
【０００６】
次にこの発明の一実施形態のリモコン装置を図面に基づき説明する。
１はヒートポンプ式給湯機（図示せず）等のリコモン装置で、液晶ディスプレーから成るタッチパネル方式の表示部２と、該表示部２の表示内容を変更する操作部３と、各種運転状態を表示する表示ランプ群４とから構成されている。
【０００７】
前記表示部２には、操作部３の給湯スイッチ５の押圧で、残湯量表示６、給湯温度表示７や給湯温度を設定するアップ、ダウンスイッチ８、９、ふろ自動スイッチ１０等の給湯画面１１が表示され、アップ、ダウンスイッチ８、９の操作で給湯温度の変更を行うと共に、ふろ自動スイッチ１０の押圧で給湯機にふろ自動運転を行わせるものである。
【０００８】
又操作部３の暖房スイッチ１２の押圧では、表示部２が暖房画面１３に切り替わり、暖房可能な３室の状態を表示するもので、暖房室表示１４の初期表示は「暖房Ａ」、「暖房Ｂ」、「暖房Ｃ」の文字表示され、この表示の下方に現在状況表示１５を「ＯＮ」、「ＯＦＦ」でそれぞれ表示すると共に、最下方にはそれぞれの入切スイッチ１６が表示され、更に右端にはこの全室の暖房を同時に切状態とする全切スイッチ１７と、暖房室表示１４の表示を変更可能とする設定スイッチ１８が表示されている。
【０００９】
そして、この設定スイッチ１８の押圧では、暖房画面１３から暖房室表示１４の表示変更画面１９となり、「あ行」から「わ行」のキーボード部２０と、変換キー２１、確定キー２２、取消キー２３、変更文字表示部２４とから構成され、前記設定スイッチ１８の最初の押圧では、「暖房Ａ」室の暖房室表示１４の変更モードであり、確定キー２２の押圧毎に「暖房Ｂ」室、「暖房Ｃ」室と順次移行し、最後には暖房画面１３へと切り替わるものである。
【００１０】
２５は押圧することで浴室リモコン（図示せず）との間でインターホン通話とした通話スイッチ、２６は表示部２の表示を生活情報画面（図示せず）にする生活情報スイッチ、２７は伝言の記憶及び再生及び消去用の伝言スイッチ、２８は省電力のために表示部２を消灯状態とする表示消灯スイッチ、２９は給湯機側で沸増し運転中を表示する沸増しランプ、３０は使用者へのお知らせ事項があることを表示するお知らせランプ、表示部２が暖房画面１３でなくとも暖房状態の確認ができるように、暖房室Ａランプ３１、暖房室Ｂランプ３２、暖房室Ｃランプ３３がそれぞれ備えられている。
【００１１】
次にこの一実施形態を示すリモコン装置１の暖房室表示１４の表示変更では、暖房画面１３で設定スイッチ１８を押圧することにより、表示部２が暖房室表示１４の表示変更画面１９となり、ここで初期設定の「暖房室Ａ」の文字表示を取消キー２３で取消してから、キーボード部２０で変更文字表示部２４を見ながら希望する文字表示を入力変換し、例えば「暖房室Ａ」が台所の場合には、「台所」と場所の名前を選択して、確定キー２２を押圧すれば、暖房室表示１４の「暖房室Ａ」の文字表示が、「台所」の文字表示に変更されるものである。
【００１２】
続いて「暖房室Ｂ」の文字表示を変更する場合は、変更文字表示部２４に表示されている「暖房室Ｂ」の文字を、取消キー２３で取消してから、キーボード部２０で変更文字表示部２４を見ながら希望する文字表示を入力変換し、例えば「暖房室Ｂ」が子供部屋で一郎君が使用している時には、「一郎」とその部屋を使用する人の名前を選択して、確定キー２２を押圧すれば、暖房室表示１４の「暖房室Ｂ」の文字表示が、「一郎」の文字表示に変更されるものであり、又続けて「暖房室Ｃ」の文字表示を変更する場合は、同じく変更文字表示部２４に表示されている「暖房室Ｃ」の文字を、取消キー２３で取消してから、キーボード部２０で変更文字表示部２４を見ながら希望する文字表示を入力変換し、例えば「暖房室Ｃ」が子供部屋で花子さんが使用している時には、「花子」とその部屋を使用する人の名前を選択して、確定キー２２を押圧すれば、暖房室表示１４の「暖房室Ｃ」の文字表示が、「花子」の文字表示に変更されるものである。
【００１３】
従って、表示部２の暖房室表示１４を使用者自身が分かりやすい表示に変更可能であるので、分かりやすい表示、例えば「台所」のように場所や「一郎」、「花子」の部屋など子供の名前にすれば、忘れることがなく確実に操作出来、安心して使用出来るものであり、どの部屋をどんな名前にしたかを忘れることなく、覚えておくことが出来る。
【図面の簡単な説明】
【００１４】
【図１】この発明の一実施形態のリモコン装置を示す概略説明図。
【図２】同リモコン装置の表示部の給湯画面の説明図。
【図３】同リモコン装置の表示部の暖房画面の説明図。
【図４】同暖房画面の表示変更画面の説明図。
【図５】同表示変更後の暖房画面の説明図。
【符号の説明】
【００１５】
１  リモコン装置
２  表示部
３  操作部
１４  暖房室表示
【図１】
2007028136.tif 000003
【図２】
2007028136.tif 000004
【図３】
2007028136.tif 000005
【図４】
2007028136.tif 000006
【図５】
2007028136.tif 000007